(57)【要約】【課題】外容器に対する内容器の窓部の位置を周方向の決まった位置に容易且つ確実にセットすることができるうえ、外容器に対する内容器の回り止めも同時に図ること。【解決手段】外筒４０の上端部に上部開口部４３を有する頂壁４１が連設された透明な外容器２と、内筒１０の上端部に口部１２を有する透明な内容器３と、を備え、内容器には外周面に形成された転写膜によって区画され、内部を視認可能とさせる窓部が形成され、口部には周方向における１箇所に第１嵌合部１６ａが設けられ、上部開口部には周方向における１箇所に第１嵌合部が嵌り込む第２嵌合部４４が設けられている吐出容器を提供する。【選択図】図２
2010235132.tif 000002
【特許請求の範囲】
【請求項１】
外筒の上端部に上部開口部を有する頂壁が連設された透明な外容器と、
内容物が充填される内筒の上端部に口部を有し、該口部が前記上部開口部を通じて上方に突出するように前記外容器内に収容される透明な内容器と、を備え、
前記内筒には、外周面に形成された転写膜によって区画され、前記内容器の内部を視認可能とさせる窓部が形成され、
前記口部には、周方向における１箇所に第１嵌合部が設けられ、
前記上部開口部には、周方向における１箇所に前記第１嵌合部が嵌り込む第２嵌合部が設けられていることを特徴とする吐出容器。
【請求項２】
請求項１に記載の吐出容器において、
前記内容器は、前記内筒と前記口部との間に肩部を有し、
前記頂壁の下面には、前記上部開口部の周囲を囲むように垂下され、前記肩部に当接して前記外容器に対する前記内容器の上方移動を規制する環状壁が形成されていることを特徴とする吐出容器。
【請求項３】
請求項２に記載の吐出容器において、
前記肩部には、外方に膨らむ突起部が設けられ、
前記環状壁には、前記肩部が当接した際に前記突起部が係止される係止部が設けられていることを特徴とする吐出容器。
【請求項４】
請求項１から３のいずれか１項に記載の吐出容器において、
前記上部開口部の内周面には、径方向内方に膨らむように形成され、前記口部を下方側から支持して、外容器に対する内容器の下方移動を規制する段差部が形成されていることを特徴とする吐出容器。
【請求項５】
請求項１から４のいずれか１項に記載の吐出容器において、
前記内容器には、前記内筒の内周面に上下摺動可能に嵌合された中皿が配置され、前記口部に上方付勢された押下ヘッドの上下動により前記内容物を吐出させるポンプ部が装着されていることを特徴とする吐出容器。
【発明の詳細な説明】
【技術分野】
【０００１】
本発明は、吐出容器に関するものである。
【背景技術】
【０００２】
この種の吐出容器の１つとして、外容器の内側に内容器が収容（内包）され、内容器の口部に、上方付勢された押下ヘッドを有するポンプ部が装着された二重容器タイプの吐出容器が知られている（特許文献１参照）。
この吐出容器を詳細に説明すると、内容器は、上端にネックリングを有する口部が形成された有底筒状に形成されている。口部は、内容器を外容器内に収容した際に、外容器の頂壁に形成された上部開口部から外容器の外側に突出するようになっている。そして、この突出した口部にポンプ部が装着されている。
【０００３】
ところで、内容器を外容器内に収容した際に、内容器のネックリングは外容器の頂壁の下面に垂下された筒片内に嵌まり込むようになっている。この際、ネックリングは平面視正八角形状に形成され、筒片はネックリングの形状に合わせてやはり平面視正八角形状に形成されている。よって、ネックリングは、筒片内に嵌まり込んだ際に周方向への回転が防止されるようになっている。
つまり、内容器は、外容器に対して周方向への回転が規制された状態となっている。そのため、内容器の口部にポンプ部を着脱する際に、内容器が周方向に連られて共回りしてしまうことを防止できるようになっている。従って、ポンプ部の着脱操作が容易に行える設計となっている。
【先行技術文献】
【特許文献】
【０００４】
【特許文献１】特開２００３−４０３０４号公報
【発明の概要】
【発明が解決しようとする課題】
【０００５】
上述したような二重容器タイプの吐出容器において、近年、内容器内に充填されている内容物の残量を容易に確認することができるものが知られている。
具体的には、内容器の一部に内部が視認できるような透明或いは半透明な窓部が形成されている。これにより、窓部を通してのみ内容器の内部を外側から視認することができるようになっている。一方、外容器は、透明或いは半透明な材料で形成されている。これにより、内部に収容されている内容器の窓部を、外容器の外側から該容器を通じて視認することができるようになっている。つまり、外容器及び内容器の窓部を通し見ることで、内容物の残量を容易に確認することができるようになっている。
【０００６】
ところで、外容器は、内容器を保護する役割がある一方、商品自体の外装体としての役割も果している。そのため、外容器の外周面には、商品や内容物等に関する様々な各種情報が印刷やシール貼付等によって表示されているのが一般的である。ところが、これら各種情報が表示されている裏側に内容器の窓部が位置してしまうと、表示が邪魔して窓部を明瞭に視認し難くなってしまう。従って、内容器と外容器とを組み立てる際に、窓部が表示から外れた位置にくるようにセットする必要がある。
【０００７】
この点、従来の二重容器タイプの吐出容器は、単に外容器に対して内容器が周方向に回転しないように設計されているだけのものであるので、内容器と外容器とを組み立てる際に、外容器に表示されている各種情報の裏側に窓部が隠れてしまわないように注意を払う必要があった。従って、組み立てに手間がかかり、製造効率の低下を招くものであった。
【０００８】
この発明は、このような事情を考慮してなされたもので、その目的は、外容器に対する内容器の窓部の位置を周方向の決まった位置に容易且つ確実にセットすることができるうえ、外容器に対する内容器の回り止めも同時に図ることができる吐出容器を提供することである。
【課題を解決するための手段】
【０００９】
上記の目的を達成するために、この発明は以下の手段を提供している。
（１）本発明に係る吐出容器は、外筒の上端部に上部開口部を有する頂壁が連設された透明な外容器と、内容物が充填される内筒の上端部に口部を有し、該口部が前記上部開口部を通じて上方に突出するように前記外容器内に収容される透明な内容器と、を備え、前記内筒には、外周面に形成された転写膜によって区画され、前記内容器の内部を視認可能とさせる窓部が形成され、前記口部には、周方向における１箇所に第１嵌合部が設けられ、前記上部開口部には、周方向における１箇所に前記第１嵌合部が嵌り込む第２嵌合部が設けられていることを特徴とする。
【００１０】
この発明に係る吐出容器においては、内容物の残量を確認する場合には、外容器及び内容器の窓部を通し見ることで、外容器の外側から残量を容易に確認することができる。ところで、内容器の口部に周方向における１箇所に第１嵌合部が設けられており、この第１嵌合部が上部開口部のやはり周方向における１箇所に設けられた第２嵌合部に嵌り込んでいる。従って、内容器と外容器とを組み立てる際に、外容器と内容器とを必ず決められた同じ向きで組み立てることができる。つまり、外容器と内容器とを予め決められた一方向に確実に位置合わせすることができる。その結果、外容器に対する内容器の窓部の位置を、周方向の決まった位置に容易且つ確実にセットすることができる。
これにより、内容器の窓部を通し見るための視認領域を外容器の外周面に確定させることができるので、窓部の視界を遮ることなく商品や内容物等に関する各種情報を外容器の外周面に表示することが可能である。特に、従来のように、表示の裏側に窓部が隠れてしまわないように注意を払いながら組み立てる必要がないので、短時間で効率の良い組み立てを行うことができる。
【００１１】
また、第１嵌合部と第２嵌合部とが嵌合することで、内容器の周方向への回転が規制され、外容器に対する内容器の回り止めが図られている。従って、内容器の口部に装着されるポンプ部やキャップ等を口部から着脱する場合においても、内容器が連られて共回りしてしまうことを防止することができる。従って、前記着脱操作を容易に行うこともできる。
【００１２】
（２）本発明に係る吐出容器は、上記本発明の吐出容器において、前記内容器が、前記内筒と前記口部との間に肩部を有し、前記頂壁の下面には、前記上部開口部の周囲を囲むように垂下され、前記肩部に当接して前記外容器に対する前記内容器の上方移動を規制する環状壁が形成されていることを特徴とする。
【００１３】
この発明に係る吐出容器においては、内容器と外容器とを組み立てる際、口部が上部開口部を通じて突出し、口部に設けられた第１嵌合部が上部開口部に設けられた第２嵌合部に嵌り込むと、頂壁の下面に形成された環状壁が肩部に当接する。これにより、それ以上の内容器の上方移動を規制することができる。従って、決められた高さだけ口部が確実に突出するように、外容器と内容器とを精度良く組み立てることができ、組み立て精度を高めることができる。
【００１４】
（３）本発明に係る吐出容器は、上記本発明の吐出容器において、前記肩部には、外方に膨らむ突起部が設けられ、前記環状壁には、前記肩部が当接した際に前記突起部が係止される係止部が設けられていることを特徴とする。
【００１５】
この発明に係る吐出容器においては、環状壁が肩部に当接した際、単に当接するのではなく、肩部に設けられた突起部が環状壁に設けられた係止部に係止される。これにより、肩部は、周方向にすべることなく環状壁に当接する。つまり、肩部と当接部との間においても、内容器の周方向への回転を規制して外容器に対する内容器の回り止めを図ることができる。従って、前記着脱操作時に内容器の共回りをより効果的に防止することができる。
【００１６】
（４）本発明に係る吐出容器は、上記本発明の吐出容器において、前記上部開口部の内周面には、径方向内方に膨らむように形成され、前記口部を下方側から支持して、外容器に対する内容器の下方移動を規制する段差部が形成されていることを特徴とする。
【００１７】
この発明に係る吐出容器においては、内容器と外容器とを組み立てる際、口部が上部開口部を通じて突出し、口部に設けられた第１嵌合部が上部開口部に設けられた第２嵌合部に嵌り込むと、口部は段差部によって下方側から支持される。これにより、内容器の下方移動を規制することができる。従って、内容器が外容器内に落ち込んでしまうことを防止しながら、外容器と内容器とを精度良く組み立てることができ、組み立て精度を高めることができる。
【００１８】
（５）本発明に係る吐出容器は、上記本発明の吐出容器において、前記内容器には、前記内筒の内周面に上下摺動可能に嵌合された中皿が配置され、前記口部に上方付勢された押下ヘッドの上下動により前記内容物を吐出させるポンプ部が装着されていることを特徴とする。
【００１９】
この発明に係る吐出容器においては、ポンプ部の押下ヘッドを上方付勢力に抗して押し下げることで、内容器の内筒内に充填されている内容物を吐出することができる。また、押下ヘッドの押し下げを解除すると、内筒内の内容物をポンプ部内に吸い上げることができ、次の吐出に備えることができる。この際、中皿は、内容物の移動に伴う圧力変動によって内筒内を上昇移動し、内容物の吐出を促している。
【発明の効果】
【００２０】
本発明に係る吐出容器によれば、外容器に対する内容器の窓部の位置を周方向の決まった位置に容易且つ確実にセットすることができるうえ、外容器に対する内容器の回り止めも同時に図ることができる。
【図面の簡単な説明】
【００２１】
【図１】本発明に係る吐出容器の一実施形態を示す外観図（一部断面図）である。
【図２】図１に示す状態から、ポンプ部を取り外した状態の断面図である。
【図３】図１に示す内容器の一側面図である。
【図４】図３に示す内容器を矢印Ａ方向から見た側面図である。
【図５】図３に示す内容器を矢印Ｂ方向から見た側面図である。
【図６】図３に示す内容器を矢印Ｃ方向から見た上面図である。
【図７】図１に示す外容器の断面図である。
【図８】図７に示す外容器の上面図である。
【図９】図７に示す外容器の断面矢視Ｄ−Ｄ図である。
【発明を実施するための形態】
【００２２】
以下、本発明に係る吐出容器の一実施形態について、図１から図９を参照して説明する。本実施形態の吐出容器１は、図１に示すように、外容器２と、内容器３と、中皿４と、ポンプ部５と、を備えた中皿上昇式で且つ二重容器タイプの吐出容器であり、内容器３に充填されている内容物Ｗを必要に応じて所定量吐出することができるものである。
【００２３】
なお、図１は、吐出容器１の外観図（一部断面図）である。また、上記各構成品のそれぞれの中心軸は共通軸上に位置している。本実施形態では、この共通軸を中心軸Ｏといい、中心軸Ｏに直交する方向を径方向、中心軸Ｏを中心に周回する方向を周方向とする。
【００２４】
まず、内容器３について説明する。
この内容器３は、透明又は半透明な材料で形成された容器であり、図２から図６に示すように、中心軸Ｏを中心に筒状に形成され、内容物Ｗが内部に充填される内筒１０と、肩部１１を介して内筒１０の上端部に形成された口部１２と、で一体的に構成されている。内容器３の下端部は開口しているが、上記中皿４によって閉塞された状態となっている。
【００２５】
なお、図２は、図１の状態からポンプ部５を取り外した状態の断面図である。図３は、内容器３の一側面図である。図４は、図３に示す内容器３を矢印Ａ方向から見た側面図である。図５は、図３に示す内容器３を矢印Ｂ方向から見た側面図である。図６は、図３に示す内容器３を矢印Ｃ方向から見た上面図である。
【００２６】
内筒１０の外周面には、略全面に亘って転写膜Ｍが形成されているが、図４に示すように、周方向の１箇所だけこの転写膜Ｍによって区画された（形作られた）窓部１３が形成されており、内容器３の内部が視認可能とされている。つまり、窓部１３を通して内容器３の内部を視認できるようになっている。本実施形態の窓部１３は、内筒１０の上端部から下端部に向かって、長さＬ、横幅Ｗの縦長の矩形状に形成されている。
【００２７】
口部１２は、図３から図６に示すように、ポンプ部５の装着筒２０が螺着されるねじ部１５と、このねじ部１５と肩部１１との間に形成されたフランジ部１６と、を備えている。フランジ部１６は、径方向外方に向けて延設された環状部材であり、周方向における１箇所が面カットされたカット部１６ａとなっている。
このカット部１６ａは、上述した窓部１３の反対側に位置するように形成されており、後述する規制プレート４４に対して嵌合する第１嵌合部として機能する。つまり、本実施形態では、窓部１３とカット部１６ａとが中心軸Ｏを挟んで対向するように形成されている。
【００２８】
ところで、肩部１１には、外方に膨らむ３つの突起部１７、１８、１９が形成されている。３つの突起部１７、１８、１９のうち突起部１７は、カット部１６ａの真下において、中心軸Ｏに沿った縦長の板片状に形成されている。残り２つの突起部１８、１９は、上記突起部１７から周方向に時計回りに９０度、半時計回りに９０度離れた位置にそれぞれ形成されており、肩部１１の斜面に沿って径方向外方に延在した板片状に形成されている。つまり、この２つの突起部１８、１９は、中心軸Ｏを挟んで対向するように形成されている。これら３つの突起部１７、１８、１９は、後述する係止溝４７及び凹部４８にそれぞれ係止されている。
【００２９】
このように構成された内容器３は、図２に示すように口部１２が後述する上部開口部４３を通じて上方に突出するように外容器２内に収容されるようになっている。具体的には、フランジ部１６の上方に位置するねじ部１５が所定量突出するように収容されている。
【００３０】
次に、ポンプ部５について説明する。
ポンプ部５は、図１に示すように、外容器２から突出した口部１２に装着される縦長のポンプであり、ねじ部１５に螺着される装着筒２０と、上方付勢された押下ヘッド２１と、この押下ヘッド２１の上下動により内容物Ｗを吐出させるノズル２２と、を備えている。
装着筒２０には、中心軸Ｏに沿って内筒１０の上部付近まで垂下されるシリンダ筒２３が一体的に形成されている。そして、押下ヘッド２１は、装着筒２０の上方において上下移動可能に装着筒２０に対して組み合わされている。また、押下ヘッド２１は、例えば余計な角部が取れた滑らかで若干の丸みを帯びた外形に仕上げられており、側面の一部に上記ノズル２２が形成されている。
【００３１】
また、シリンダ筒２３内には、上方付勢状態の押下ヘッド２１を押し下げることでシリンダ筒２３内を下降し、シリンダ筒２３の内部に溜められた内容物Ｗを加圧して該内容物Ｗをノズル２２側に流したり、押し下げられた押下ヘッド２１の上方復帰によって上昇し、シリンダ筒２３の内部の圧力を負圧化して内筒１０内から内容物Ｗを吸い上げたりするピストン部材が配置されている。
【００３２】
シリンダ筒２３の下端には、シリンダ筒２３内の圧力が上昇すると閉じて内筒１０の内部とシリンダ筒２３の内部とを遮断すると共に、シリンダ筒２３内の圧力が負圧化されると開いて内筒１０の内部とシリンダ筒２３の内部とを連通させる図示しない吸い込み弁が設けられている。
また、このように構成されたポンプ部５の押下ヘッド２１及び装着筒２０は、吐出容器１の未使用時、着脱可能に取り付けられるオーバーキャップ２５によって覆われて保護されるようになっている。
【００３３】
次に、中皿４について説明する。
中皿４は、図１及び図２に示すように内筒１０の内周面に上下摺動可能に嵌合されており、内筒１０内の内容物Ｗの減少に伴う負圧化によって内筒１０内を上昇移動するようになっている。この中皿４は、内筒１０の内周面に当接する筒状の外筒部３０と、外筒部３０の開口を塞いで内容物Ｗを内筒１０内に閉じ込める仕切り部材３１と、で構成されている。
外筒部３０は、中間部分が径方向内方に若干凹み、上端側と下端側とが全周に亘って内筒１０の内周面に当接するように設計されている。そのため、適度な摩擦力で内周面に接しており、滑らかに摺動移動できるようになっている。
なお、この場合に限られず、外筒部３０の外周面全体が内筒１０の内周面に当接したり、外筒部３０の外周面の一箇所のみに全周に亘る当接部を形成したりしても構わない。
【００３４】
本実施形態の仕切り部材３１は、内筒部３２とフランジ部３３とで一体的に形成されている。内筒部３２は、外筒部３０の内側に配設されており、筒状の内周壁３２ａと、内周壁３２ａの略中間部分に形成され、内周壁３２ａの開口を塞ぐ隔壁３２ｂと、で一体的に形成されている。フランジ部３３は、環状に形成されており、内筒部３２の上端部、即ち、内周壁３２ａの上端と外筒部３０の上端とを全周に亘って一体的に連結している。
【００３５】
次に、外容器２について説明する。
外容器２は、透明又は半透明な材料で形成された容器であり、内容器３を保護すると共に吐出容器１の外装体となるものである。この外容器２は、図７から図９に示すように、中心軸Ｏを中心に筒状に形成された外筒４０と、この外筒４０の上端部に連設された頂壁４１と、で構成されている。
なお、図７は、外容器２の断面図である。図８は、外容器２の上面図である。図９は、図７に示す外容器２の断面矢視Ｄ−Ｄ図である。
【００３６】
外筒４０の外周面には、商品や内容物Ｗ等に関する各種情報（不図示）が印刷やシール貼付等によって表示されている。外筒４０の下端部には、図２に示すように、底部４２が嵌合固定されており下端部側の開口を閉塞している。
この底部４２には、中皿４と底部４２との間の隙間空間Ｓと、外部と、を連通させるための逃げ孔４２ａが形成されている。これにより、中皿４が内筒１０内を上昇したとしても、隙間空間Ｓが負圧になることを抑制でき、中皿４を滑らかに上昇移動させることが可能とされている。
【００３７】
図７から図９に示すように、頂壁４１の略中心部には、内容器３の口部１２を上方に突出させる上部開口部４３が形成されている。本実施形態の上部開口部４３は、内周面がフランジ部１６の外周面に接するように開口サイズが設計されており、図２に示すように、フランジ部１６を上部開口部４３の内側にほぼ隙間なく配置させることが可能とされている。
ところで、この上部開口部４３には、図７から図９に示すように、周方向における１箇所にフランジ部１６のカット部１６ａが嵌り込む規制プレート（第２嵌合部）４４が開口を一部塞ぐように形成されている。これにより、カット部１６ａと規制プレート４４との位置を合わせ、両者を嵌合させない限り、フランジ部１６を上部開口部４３の内側に配置させることができないようになっている。
つまり、カット部１６ａ及び規制プレート４４は、内容器３の周方向への回転を規制すると共に、内容器３と外容器２とを予め決められた一方向に位置決めさせる役割を果している。
【００３８】
また、上部開口部４３の内周面には、径方向内方に膨らむように形成された段差部４５が形成されている。本実施形態では、段差部４５が４箇所に形成されている。これら段差部４５は、フランジ部１６を上部開口部４３の内側に配置させた際に、フランジ部１６を下方側から支持して外容器２に対する内容器３の下方移動を規制する役割を果している。
【００３９】
また、頂壁４１の下面には、上部開口部４３の周囲を囲むように底部４２側に向かって垂下された環状壁４６が形成されている。この環状壁４６は、図１及び図２に示すように、フランジ部１６が上部開口部４３の内側に配置された際に、下端部が外容器２の肩部１１に当接するように設計されている。これにより、外容器２に対する内容器３の上方移動を規制できるようになっており、フランジ部１６が上部開口部４３よりも上方に移動してしまうことを防止している。
つまり、内容器３は、上述した段差部４５と環状壁４６とによって、外容器２に対する中心軸Ｏ方向への位置決めが確実にされており、ねじ部１５が確実に所定量突出した状態となっている。
【００４０】
また、環状壁４６には、図７から図９に示すように、上述した内容器３の突起部１７、１８、１９をそれぞれ係止させる係止溝４７及び凹部４８が設けられている。まず、環状壁４６の内周面には、規制プレート４４の下方に隠れる位置において、径方向内方に突出した２つの突起４９が周方向に間隔を開けた状態で並ぶように形成されている。そして、この２つの突起４９の間に形成された空間が上記係止溝４７とされており、フランジ部１６を上部開口部４３の内側に配置した際に、突起部１７が嵌り込んで係止されるようになっている。
また、環状壁４６の下端部には、上記係止溝４７から周方向に時計回りに９０度、半時計回りに９０度離れた位置において、凹部４８がそれぞれ形成されている。つまり、中心軸Ｏを挟んで対向するように凹部４８が形成されている。これら凹部４８には、フランジ部１６を上部開口部４３の内側に配置した際に、突起部１８、１９がそれぞれ嵌り込んで係止されるようになっている。
【００４１】
次に、このように構成された吐出容器１を利用して内容物Ｗを吐出する場合について説明する。
この場合には、図１に示すように、ポンプ部５の押下ヘッド２１を上方付勢力に抗した力で押し下げる。すると、ピストン部材がシリンダ筒２３内を下降移動する。これにより、シリンダ筒２３内に溜められている内容物Ｗが加圧されると共に、吸い込み弁がシリンダ筒２３の内部と内筒１０の内部とを遮断する。これによって、加圧された内容物Ｗはノズル２２に移動する。その結果、内容物Ｗを外部に吐出させることができる。
【００４２】
一方、押下ヘッド２１の押し下げを解除すると、押下ヘッド２１はコイルバネ等の弾性部材の力により上方に付勢されているので、元の位置に復帰する。そのため、ピストン部材がシリンダ筒２３内を上昇移動する。これにより、シリンダ筒２３内の圧力を負圧化すると共に、吸い込み弁がシリンダ筒２３内の内部と内筒１０の内部とを連通させる。そのため、内筒１０に充填されている内容物Ｗがシリンダ筒２３内に吸い上げられる。これにより、シリンダ筒２３内に再度内容物Ｗを溜め込むことができ、次の吐出に備えることができる。
【００４３】
また、吸い上げによる内容物Ｗの減少に伴って内筒１０内が負圧化されるので、中皿４が内筒１０内を上昇移動する。これにより、内容物Ｗの吸い上げを促すことができ、仮に高粘度の内容物Ｗであってもシリンダ筒２３内に確実に吸い上げさせることが可能となる。
【００４４】
以上のようにして、内容器３に充填されている内容物Ｗを必要に応じて所定量吐出させながら使用することができる。また、使用中に、内容物Ｗの残量を確認する場合には、外容器２及び内容器３の窓部１３を通し見ることで、外容器２の外側から残量を容易に確認することができる。
【００４５】
次に、吐出容器１を組み立てて製造する場合の手順について、簡単に説明する。
まず、内容器３の内部に中皿４をセットした後、この内容器３を外容器２内に挿入して両容器２、３を組み合わせる。次いで、両容器２、３を組み合わせた後、外容器２の下端部に底部４２を嵌合固定させる。次いで、内容器３内に内容物Ｗを充填させた後、外容器２から突出した内容器３のねじ部１５にポンプ部５の装着筒２０を螺着させることで、ポンプ部５を装着する。このようにして、吐出容器１を組み立てることができる。
【００４６】
ところで、内容器３のフランジ部１６には周方向における１箇所にカット部１６ａが形成され、外容器２の上部開口部４３にはこのカット部１６ａを嵌合させる規制プレート４４が形成されている。よって、内容器３と外容器２とを組み合わせる際に、カット部１６ａの位置と規制プレート４４の位置とを一致させない限り、フランジ部１６を上部開口部４３の内側に配置することができない。そのため、外容器２と内容器３とを必ず決められた同じ向きで組み立てることができる。つまり、内容器３と外容器２とを予め決められた一方向に確実に位置合わせすることができる。その結果、外容器２に対する内容器３の窓部１３の位置を、周方向の決まった位置に容易且つ確実にセットすることができる。
【００４７】
これにより、内容器３の窓部１３を通し見るための視認領域を外容器２の外周面に確定させることができるので、窓部１３の視界を遮ることなく商品や内容物Ｗ等に関する各種情報を外容器２の外周面に表示することが可能である。特に、従来のように、表示の裏側に窓部１３が隠れてしまわないように注意を払いながら組み立てる必要がないので、短時間で効率の良い組み立てを行うことができる。
【００４８】
また、内容器３と外容器２とを組み合わせた際、カット部１６ａと規制プレート４４とが嵌合した状態でフランジ部１６が上部開口部４３の内側に位置するので、内容器３の周方向への回転が規制され、外容器２に対する内容器３の回り止めが図られている。従って、ポンプ部５を口部１２から着脱したとしても、内容器３が連られて共回りしてしまうことを防止することができる。従って、ポンプ部５の着脱操作を容易に行うことができる。
【００４９】
また、内容器３と外容器２とを組み合わせる際、フランジ部１６が上部開口部４３の内側に位置し、カット部１６ａと規制プレート４４とが嵌合すると、図２に示すように、外容器２の環状壁４６が内容器３の肩部１１に当接する。これにより、それ以上の内容器３の上方移動を規制することができる。しかも、フランジ部１６が段差部４５によって下側から支持されるので、内容器３の下方移動に関しても規制することができる。これらのことにより、決められた高さだけ口部１２のねじ部１５が確実に突出し、且つ、内容器３が外容器２内に落ち込んでしまうことを防止しながら、外容器２と内容器３とを精度良く組み立てることができる。従って、組み立て精度を高めることができる。
【００５０】
更に、環状壁４６が肩部１１に当接した際、単に当接するのではなく、肩部１１に設けられた突起部１７、１８、１９が環状壁４６に設けられた係止溝４７及び凹部４８に対してそれぞれ係止される。これにより、肩部１１は、周方向にすべることなく環状壁４６に当接する。つまり、肩部１１と環状壁４６との間においても、内容器３の周方向への回転を規制して外容器２に対する内容器３の回り止めを図ることができる。従って、ポンプ部５の着脱操作時に内容器３の共回りをより効果的に防止することができる。
【００５１】
以上、説明したように、本実施形態の吐出容器１によれば、外容器２に対する内容器３の窓部１３の位置を周方向の決まった位置に容易且つ確実にセットすることができるうえ、外容器２に対する内容器３の回り止めも同時に図ることができる。
【００５２】
なお、本発明の技術範囲は、上記実施形態に限定されるものではなく、本発明の趣旨を逸脱しない範囲において、種々の変更を加えることが可能である。
【００５３】
例えば、上記のポンプ部５の構成は一例であり、適宜設計変更して構わない。例えば、中皿４を使用しない一般的な吐出ポンプや、空気シリンダ及び空気ピストンを構成に加え、内容物Ｗを泡状に吐出するフォーマーポンプとしても構わないし、内容物Ｗを霧状に吐出するスプレーポンプとしても構わない。
【００５４】
また、内容器３の窓を縦長の矩形状に形成したが、縦長の楕円状であっても構わないし、縦長の三角状等に形成しても構わず、その形状及び個数は限定されない。
また、上記実施形態では、透明又は半透明な材料で外容器２及び内容器３を形成したが、内部が視認可能であれば良く、例えば光の透過率が４０％や８０％の材料で形成しても構わない。
【００５５】
また、上記実施形態では、フランジ部１６に形成したカット部１６ａと上部開口部４３に形成した規制プレート４４とで、内容器３の周方向への回転を規制すると共に、内容器３と外容器２とを予め決められた一方向に位置決めしたが、この場合に限定されるものではなく、一方向に位置決め可能であれば種々の構成を採用することができる。
つまり、口部１２側の周方向における１箇所に設けた第１嵌合部と、上部開口部４３側の周方向における１箇所に設けた第２嵌合部とで、内容器３と外容器２とを一方向に位置決めできれば、第１嵌合部及び第２嵌合部をどのように構成しても構わず、例えば、第１嵌合部を凸部、第２嵌合部を凹部としたり、第１嵌合部を円形フランジ部の一部に形成される複数のカット部からなる多角形状とし、第２嵌合部をこの多角形状に適応する形状にしたりしても良い。
【符号の説明】
【００５６】
Ｍ…転写膜
Ｗ…内容物
１…吐出容器
２…外容器
３…内容器
４…中皿
５…ポンプ部
１０…内筒
１１…肩部
１２…口部
１３…窓部
１６ａ…カット部（第１嵌合部）
１７、１８、１９…突起部
２１…押下ヘッド
４０…外筒
４１…頂壁
４３…上部開口部
４４…規制プレート（第２嵌合部）
４５…段差部
４６…環状壁
４７…係止溝（係止部）
４８…凹部（係止部）
【図１】
2010235132.tif 000003
【図２】
2010235132.tif 000004
【図３】
2010235132.tif 000005
【図４】
2010235132.tif 000006
【図５】
2010235132.tif 000007
【図６】
2010235132.tif 000008
【図７】
2010235132.tif 000009
【図８】
2010235132.tif 000010
【図９】
2010235132.tif 000011